(57)【要約】【課題】縦フレーム或いは横フレームに支持部材を安定よく支持すると共に、配索部材に対する鼠の移動及び巣作りを防止する収穫機の配索構造を提供する。【解決手段】複数の縦フレーム２５と横フレーム２６を枠組みした走行機台１ａに、操縦部６ｃ及び脱穀部６ａ等を載置すると共に、電線３並びに管４等の配索部材５を配索する収穫機１であって、前記縦フレーム２５或いは横フレーム２６に配索用の支持部材２７を橋渡し状に設け、該支持部材２７の下側に配索部材５を支持し、支持部材２７によって配索部材５の上方を覆うと共に下方を開放させた配索構造とする。【選択図】図３
2006280243.tif 000002
【特許請求の範囲】
【請求項１】
複数の縦フレーム（２５）と横フレーム（２６）を枠組みした走行機台（１ａ）に、操縦部（６ｃ）及び脱穀部（６ａ）等を載置すると共に、電線（３）並びに管（４）等の配索部材（５）を配索する収穫機（１）において、前記縦フレーム（２５）或いは横フレーム（２６）に配索用の支持部材（２７）を橋渡し状に設け、該支持部材（２７）の下側に配索部材（５）を支持し、支持部材（２７）によって配索部材（５）の上方を覆うと共に下方を開放させたことを特徴とする収穫機の配索構造。
【請求項２】
支持部材（２７）を側断面視で下方を開放した山形状の断面形状となし、支持部材（２７）の下側に配索部材（５）を近接させて支持する請求項１記載の収穫機の配索構造。
【請求項３】
支持部材（２７）の下側に、配索部材（５）の挿入空間部（Ｈ）を形成する支持具（２８）を片持ち状に設ける請求項１又は２記載の収穫機の配索構造。
【発明の詳細な説明】
【技術分野】
【０００１】
本発明は、コンバインやハーベスタに用いられる収穫機の配索構造に関する。
【背景技術】
【０００２】
従来、操縦部及び脱穀部等を載置する走行機台を、複数の縦フレームと横フレームを井桁状に枠組み構成し、左右方向中央寄りの縦フレームの側方に電線を配索する案内板（支持部材）を一連に沿わせて設け、各種の電気部品や電装品を接続する配線長さを最小限にして配索するコンバインの配索構造は既に公知である（例えば特許文献１。）。
【０００３】
この配索構造は、縦フレームの側方に沿わせて設けるＬ字状の案内板の上に、各種電線を纏めてテーピングしクランプで結び組配線をして配索することにより、該組配線を上下方向にいたずらに引き回して配線長さを長くすることなく、且つ配索部材を案内板によって下方から覆い泥土等による汚損を防止する構成となっている。
【特許文献１】特許第３１９４８４５号公報
【発明の開示】
【発明が解決しようとする課題】
【０００４】
上記特許文献１で示される配索構造は、電線の配線長さを最小限にして配索する利点を有するが、縦フレームの側方に設けたＬ字状の案内板の上に、組配線する各種の電線をクランプで結んで配索するので、コンバイン作業時や清掃時に落下して溜まる籾等が、上記電線を収容した状態で配索する案内板と縦フレームに多く堆積する欠点がある。
【０００５】
また縦フレームに沿わせて設けた案内板は鼠が移動し易い通路になるので、鼠が堆積物を利用して電線の上に巣作りをし、巣作りに伴い電線の被覆材やクランプがかじられることが多発し、漏電や糞尿被害によるトラブルが頻繁に発生する問題がある。
【課題を解決するための手段】
【０００６】
上記課題を解決するために本発明の収穫機の配索構造は、第１に、複数の縦フレーム２５と横フレーム２６を枠組みした走行機台１ａに、操縦部６ｃ及び脱穀部６ａ等を載置すると共に、電線３並びに管４等の配索部材５を配索する収穫機１において、前記縦フレーム２５或いは横フレーム２６に配索用の支持部材２７を橋渡し状に設け、該支持部材２７の下側に配索部材５を支持し、支持部材２７によって配索部材５の上方を覆うと共に下方を開放させたことを特徴としている。
【０００７】
第２に、支持部材２７を側断面視で下方を開放した山形状の断面形状となし、支持部材２７の下側に配索部材５を近接させて支持することを特徴としている。
【０００８】
第３に、支持部材２７の下側に、配索部材５の挿入空間部Ｈを形成する支持具２８を片持ち状に設けることを特徴としている。
【発明の効果】
【０００９】
本発明による収穫機の配索構造は次のような効果を奏する。縦フレーム或いは横フレームに支持部材を橋渡し状に設けることにより、支持部材を走行機台に安定よく取付支持することができる。また支持部材の下側に配索部材を支持することにより、配索部材５の上方を覆って籾の堆積を防ぎ、また下方を開放し配索部材５に対する鼠の移動や巣作りを防止することができる。
【００１０】
下方が開放される山形状の断面形状となした支持部材は、塵埃を山形断面の傾斜によって滑落させ堆積を防止することができる。また支持部材の下側に配索部材を近接させて支持することができ、配索部材への籾や泥土の堆積を防止することができる。
【００１１】
支持部材の下側に片持ち状に設けた支持具によって形成される挿入空間部から配索部材を挿入して、支持具に安定よく支持させ配索することができる。また走行機台の下方で走行装置によって持ちまわしされる泥土が接当しても、支持具は先端部の挿入空間部によって泥土を落下させると共に、剛性を有するので配索部材を長期間にわたり適正に支持することができる。
【発明を実施するための最良の形態】
【００１２】
本発明の一実施形態を図面に基づいて説明する。図１，図２において符号１は、本発明の配索構造２によって電線３や油圧管或いは燃料管等の管４からなる配索部材５が配索される収穫機の一例として示すコンバインである。このコンバイン１は従来のものと同様に、クローラー式の走行装置を備えた走行機台１ａに、前処理部６と脱穀部６ａ及び排藁切断部６ｂ等の作業部を前後方向に配置し、前処理部６の後方で走行機台１ａの右側に操縦部６ｃと、穀粒排出オーガー装置７を備えたグレンタンク６ｄを配置している。
【００１３】
上記穀粒排出オーガー装置７は、グレンタンク６ｄの後部に立設される縦排出オーガー（穀粒縦送り筒）１０と、該縦排出オーガー１０の上部に構成される中継作動機構（穀粒中継筒）１１と、中継作動機構１１が備える油圧シリンダー１２等によって旋回及び昇降回動可能に取付支持される穀粒排出オーガー（穀粒横送り筒）１３等で構成される。
【００１４】
穀粒排出オーガー１３は、格納姿勢においてオーガー受具１４で支持された状態で、機体右後方の縦排出オーガー１０側から操縦部６ｃの側方に近接し、機体左前側に位置する斜め方向に格納される。従って、穀粒排出オーガー１３は、平面視において機体の右側後部から左側前部の対角線方向に位置する格納姿勢から、旋回及び昇降回動され穀粒排出作業を行うことができる。
【００１５】
グレンタンク６ｄは図１で示すように機体巾内に格納された作業姿勢と、図２で示す機体側方に回動移動されたメンテナンス姿勢とに切り換え可能に構成される。この切換支持構造は図２で示すように、例えばグレンタンク６ｄの後部を縦排出オーガー１０又は走行機台１ａから立設した図示しない支柱に対し回動可能に支持すると共に、グレンタンク６ｄの前側底部を走行機台１ａに係脱可能に載置する構成となっている。
【００１６】
操縦部６ｃは、前側及び側方に機体の走行操作及び各作業機の操作を司る操作レバー類が配設され、且つ運転座席１５の後部スペースに穀粒排出オーガー装置７の駆動及び旋回並びに上下回動操作を行う操作部１６を備えている。
そして、運転座席１５を支持すると共に下方のエンジンを覆うフレーム構造の取付部１７には、後述するフード５０が取付支持構造によって着脱可能に取付固定される。これにより運転座席１５の上方をフード５０で覆う構成とされる。
【００１７】
上記構成からなるコンバイン１は、前処理部６で刈り取った穀稈を脱穀部６ａに搬送供給して脱穀を行い、脱穀選別された穀粒をグレンタンク６ｄに収容し、且つ脱穀済の排藁を排藁切断部６ｂに送り切断処理をして機外に排出し一連のコンバイン作業を行う。
またグレンタンク６ｄ内に収容される穀粒の排出作業は、オペレータが機体停止状態で操作部１６を操作し中継作動機構１１を作動させて、格納姿勢にある穀粒排出オーガー１３を機体側方の任意な穀粒排出位置に移動停止させ、且つ穀粒排出オーガー装置７を駆動することによって行う。
【００１８】
これによりグレンタンク６ｄ内の穀粒は穀粒排出オーガー１３の穀粒排出口から排出され、地上に準備される図示しない穀粒袋又は路上に待機するトラック等に収容することができる。一方上記のように穀粒が排出されて空になったグレンタンク６ｄは、縦排出オーガー１０を支点に側方に向け回動させることができる。
【００１９】
図２で示すようにグレンタンク６ｄをメンテナンス姿勢に回動すると、操縦部６ｃの後方を広く開放することができる。この開放状態で作業者は操縦部６ｃ後方の走行機台１ａに乗り込むことができ、脱穀部６ａの内側部並びにグレンタンク６ｄの下側や内部のメンテナンス作業、及びこの部の走行機台１ａに配索される配索部材５等の掃除や点検修理等の、メンテナンス作業を能率よく簡単に行うことができる。
【００２０】
次に、図２，図３を参照し走行機台１ａに設置される配索構造２について説明する。先ず走行機台１ａは、前後に長い複数の縦フレーム２５を複数の横フレーム２６によって縦横に接続し、井桁状をなす一体的な機台フレームとして構成される。そして、走行機台１ａは各作業機を搭載配置して、その所要箇所に次のような配索構造２を構成し配索部材５が配索される。
この配索構造２を図２で示す、操縦部６ｃの後方における走行機台１ａ部分に設置する例について説明する。
【００２１】
図示例の配索構造２は、左右の縦フレーム２５，２５の中途部をフレーム間隔を有して接続する、前後の横フレーム２６と横フレーム２６に橋渡し状に取付構成している。
この配索構造２は図３で示すように、走行機台１ａの上記フレーム間隔内で配索部材５を支持する支持部材２７と、該支持部材２７の下側（下面）に沿って配索部材５を取付支持する支持具２８とからなる。
【００２２】
支持部材２７は、前後の横フレーム２６，２６の上面に載置される長さの板部材を側断面視で山形状に屈曲させて形成すると共に、両端のコーナー部を切欠することにより上記横フレーム２６，２６の角部と嵌合させる接続部２９を形成している。
支持具２８は、棒状部材を上向きに湾曲させてフック状に形成した基部側を支持部材２７の一側片に取付固定すると共に、棒状部材の自由端と支持部材２７の他側片との間に、配索部材５を挿入セットさせる挿入空間部Ｈを形成している。
【００２３】
この構成により支持具２８は支持部材２７の両裾の下縁より上方位置において、フレーム間隔内に支持間隔を有し複数設けることにより、配索部材５の適所を支持し垂れ下がりを防止し、また機体振動等による外れを防止した状態で安定よく支持する。
さらに、支持具２８は支持部材２７の山形状をなして下方が開放される空間部内で、配索部材５を支持部材２７の下側一側に纏め近接させて支持するので、支持部材２７の前後両端に形成される開口部から内部に侵入しようとする鼠が、狭い隙間の配索部材５を渡り歩きすることを不能にすることができる。
【００２４】
図３に示すように走行機台１ａは、その後部に燃料供給口３０を有する燃料タンク３１を載置しており、この前側で横設される横フレーム２６，２６の左右中間部において、対向する内側面側にそれぞれアングル形状の取付片３２，３２を突設している。
この各横フレーム２６に突設した取付片３２，３２に支持部材２７の各接続部２９を位置決めすると、両者を取付ネジ３３によって締着することができる。これにより走行機台１ａに対する支持部材２７の取付けを簡単に行うことができる。
【００２５】
以上のように構成される配索構造２は、横フレーム２６，２６に支持部材２７を取付ける前に、操縦部６ｃ側と機体後部の穀粒排出オーガー装置７並びに図示しないテールランプ等の電装機器とを接続する電線３や、穀粒排出オーガー装置７の油圧シリンダ１２に接続する油圧管や燃料タンク３１からエンジンに燃料を送給する燃料管等の管４を、予め支持部材２７に取付けることができる。このとき電線３や管４からなる配索部材５は、挿入空間部Ｈから順次挿入することができ、必要によりテーピング手段を用い束ねて纏めた状態にしながら、支持具２８に適切に支持し支持部材２７に対し簡単にセットすることができる。
【００２６】
次いで配索部材５を収容状態でセットした支持部材２７は、両側の接続部２９を横フレーム２６，２６に接当させて取付片３２，３２に位置決めし、取付ネジ３３によって締着して横フレーム２６，２６に取付固定する。
これにより井桁状の走行機台１ａに対し支持部材２７を、操縦部６ｃの後方で前後方向の両側に籾落下用の空間部を形成して設置することができ、また配索部材５を同方向に上方から覆って配索することができる。こののち支持部材２７から延長される各配索部材５は、それぞれの先端部に設けた接続部を介し各対応する箇所に接続される。
【００２７】
この配索構造によれば、縦フレーム２５或いは横フレーム２６の相対向するフレーム中途部に、支持部材２７を橋渡し状に設けるので、支持部材２７は両側に籾を落下させる空間部を形成して走行機台１ａに安定よく取付支持され、また支持部材２７への籾の堆積も抑制することができる。また配索部材５を支持部材２７の下側に支持し下方を開放させるので、配索部材５への籾の堆積を防止すると共に、配索部材５に対する鼠の侵入や移動を防止し、鼠の巣作りに伴う被害やトラブルを防止することができる。
【００２８】
また支持部材２７は下方を開放した簡単な配索構造にしながら、棒状部材による剛性を有する複数の支持具２８によって配索部材５を安定よく支持する。
そして、走行機台１ａの下方に存在するクローラー式の走行装置によって持ち回しされる泥土が支持具２８に接当したとしても、泥土は剛性を有する支持具２８の自由端側の挿入空間部Ｈから下方に落下されるので、支持具２８の変形等を防止して配索部材５を長期に渡って適正に支持することができる。
【００２９】
またグレンタンク６ｄをメンテナンス姿勢に回動させ、作業者が開放された走行機台１ａに乗り上がり各部のメンテナンス作業を行うとき、縦フレーム２５或いは横フレーム２６に橋渡し状に両端が支持される支持部材２７は、作業者の足を剛性を有して支える補助的な足場フレームとして利用することができる。従って、井桁状に枠組みされる走行機台１ａに乗って行うメンテナンス作業を行い易くすることができる等の特徴がある。尚、支持部材２７は上記縦フレーム２５と横フレーム２６に対し、斜め方向の橋渡し状に支持することができる。
【００３０】
尚、支持部材２７は図示するような山形断面で剛性を有する形状に限ることなく、例えば下向き湾曲断面又は下向きコ状断面或いは平型断面の板部材で構成し、その両端を横フレーム２６，２６或いは縦フレーム２５，２５に対し取付固定することができる。またこれら断面構造の支持部材２７の下面に沿って設ける配索部材５は、締めつけ用の配索バンドによって支持部材２７に締め付け固定することもできる。
【００３１】
次に図４〜図６を参照し前記フード５０及びその取付構造について説明する。このフード５０は前記取付部１７に対し着脱可能に取付支持される取付台５１と、該取付台５１に旋回可能に取付支持され、フード５０を平面視において図１の点線Ａで示す折畳み姿勢と点線Ｂで示す旋回姿勢とに切り換え可能にする旋回台５２と、旋回台５２に対しフード５０を図４の実線で示す覆い姿勢と点線Ｃで示す折畳み姿勢とに切り換え可能に支持する支持機構５３によって構成される。
【００３２】
上記取付台５１は、機体内方となる左側に支持筒５５を立設し、機体外方となる右側に取付座５６を設けている。旋回台５２は下部の左側に上記支持筒５５内に嵌挿される旋回軸５７を突設し、右側に上記取付座５６にスライド可能に載置される載置座５９を設けている。これにより旋回台５２は取付台５１の支持筒５５に旋回軸５７を挿入した状態で、図５で示すように載置座５９を取付座５６にノブ付きボルト６０で締着することにより、フード５０を覆い姿勢に固定支持することができる。
【００３３】
また図６で示すようにノブ付きボルト６０を緩めて載置座５９を前側に旋回移動して取付座５６に締着することにより、フード５０を旋回姿勢に固定支持することができる。尚、支持筒５５はノブ付きボルト６１を設けており、このノブ付きボルト６１によってフード５０の各旋回位置において旋回軸５７を締着固定することができ、フード５０の覆い姿勢においても例えば日差し方向に対応し覆い位置を簡単に変更することができる。
【００３４】
支持機構５３は図４，図５で示すように、フード５０の下面を取付支持するフードフレーム６２の後部左右と旋回台５２の左右を、支持フレーム６３と調節支持杆６５の上下に設けた各支点軸６６，６６・・によって平行リンクを形成するように連結し、且つガスダンパーによる伸縮保持機構等からなる姿勢保持杆６７によって連結している。この調節支持杆６５はネジ部等からなる調節部６９を有して連結長さを調節することができ、調節支持杆６５を短く調節するとフード５０の前側を高くすることができ、作業者の背丈に対応させることができる。
【００３５】
以上の構成ように構成されるフード５０は覆い姿勢において、運転座席１５に座って運転する作業者の頭上を適正位置で覆うことができ、作業者が立ち姿で作業をしたい場合又はコンバイン１を納屋等に格納する場合に、フード５０を支持機構５３を介し略水平姿勢を維持させながら後方に退避させ、図４の点線Ｃで示す折畳み姿勢に切り換えることができる。
【００３６】
さらにフード５０を折畳み姿勢にしたままコンバイン作業を行うとき、フード５０を予め前記点線Ｂで示すように旋回姿勢に支持しておくことにより、グレンタンク６ｄ内の穀粒排出作業を行う際に格納姿勢から上昇される穀粒排出オーガー１３との接当を防止することができ、フード５０を折畳み姿勢にして行う一連のコンバイン作業を能率よくスムーズに行うことができる。
【図面の簡単な説明】
【００３７】
【図１】本発明に係わる配索構造を備えたコンバインの全体を示す平面図である。
【図２】図１のコンバインのグレンタンクをメンテナンス姿勢に切り換えた状態で、配索構造の構成を示す平面図である。
【図３】図１のコンバインの配索構造を示す側面図である。
【図４】図１のコンバインに装着されるフードの構成を示す左側面図である。
【図５】図４のフードの支持構造を示す斜視図である。
【図６】フードの旋回姿勢における支持構造を示す斜視図である。
【符号の説明】
【００３８】
１    コンバイン（収穫機）                                                      １ａ  走行機台
２    配索構造
３    電線
４    管類
５    配索部材
６    前処理部
６ａ  脱穀部
６ｃ  操縦部
６ｄ  グレンタンク
２５  縦フレーム
２６  横フレーム
２７  支持部材
２８  支持具
Ｈ    挿入空間部
【図１】
2006280243.tif 000003
【図２】
2006280243.tif 000004
【図３】
2006280243.tif 000005
【図４】
2006280243.tif 000006
【図５】
2006280243.tif 000007
【図６】
2006280243.tif 000008